(57)【要約】【課題】  本発明の課題は、皮膚表面に穿孔や刺創を作らないために内視鏡の脇に粘膜切開剥離術補助具を導入し、切除する粘膜をカウンタートラクションすることができ、粘膜を把持する箇所に粘膜が引っかかることなく、粘膜剥離後に粘膜を円滑に開放することができる粘膜切開剥離術補助具を提供することにある。【解決手段】  本発明は、長手方向に伸縮する伸縮部材と接続された操作線の操作により管状部材と管との間隔を可変とし、粘膜把持部の環内に切開剥離する粘膜を把持することができる。そして、伸縮部材により、操作線を操作する力を直接伝えず、強く粘膜を把持した場合であっても円滑に粘膜を開放することができる。また、可撓性を備えることで体内の形状に対応させることができ、内視鏡とともに体内に導入させることができる。すなわち、カウンタートラクションのために穿孔をあける必要がない。【選択図】図１
2007307000.tif 000002
【特許請求の範囲】
【請求項１】
粘膜を切開剥離する際、前記粘膜を持ち上げる粘膜切開剥離術補助具であって、
管状部材を環状に形成し、その環内に粘膜を挟み込むことによって当該粘膜を把持する粘膜把持部と、
一端に前記粘膜把持部を備え、可撓性を有する管と、
前記管の一端から前記管状部材の内側を経由して、再び前記管の一端から前記管の内側に挿通され、長手方向に伸縮する伸縮部材と、
前記管の内側に挿通され、一端が前記伸縮部材の一端及び他端と接続し、前記伸縮部材を介して前記粘膜把持具の環径を可変とするように操作する操作線とを備えることを特徴とする粘膜切開剥離術補助具。
【請求項２】
前記粘膜把持部は、前記操作線を前記管から引き出すような操作に応じて、前記管状部材及び前記操作線で形成される環径を小さくして前記粘膜を把持し、
前記操作線を前記管に押し入れるような操作に応じて、前記粘膜把持部の環径を大きくして把持した前記粘膜を開放することを特徴とする請求項１記載の粘膜切開剥離術補助具。
【請求項３】
前記粘膜把持部は、前記管状部材の一端及び他端と前記管とが互いに離間可能に形成され、
前記操作線を前記管に押し入れるような操作に応じて、前記管状部材の一端及び他端と前記管との間隔が離れるように前記粘膜把持部の環径が大きくなり、
前記操作線を前記管から引き出すような操作に応じて、前記管状部材の一端及び他端と前記管との間隔が狭くなるように前記粘膜把持部の環径が小さくなるを特徴とする請求項２記載の粘膜切開剥離術補助具。
【請求項４】
前記管状部材は、エラストマーにより形成されていることを特徴とする請求項１記載の粘膜切開剥離術補助具。
【請求項５】
前記伸縮部材は、スプリングであることを特徴とする請求項１記載の粘膜切開剥離術補助具。
【発明の詳細な説明】
【技術分野】
【０００１】
本発明は、胃、食道、大腸等の粘膜を切開剥離する際に、内視鏡とともに導入し、粘膜を持ち上げ、粘膜切開剥離術を補助する粘膜切開剥離術補助具に関するものである。
【背景技術】
【０００２】
従来、粘膜を切開剥離する粘膜切開剥離術において、切開剥離するべき粘膜を持ち上げる（カウンタートラクション）ための内視鏡補助具としては、粘膜を貫通して把持、牽引するものがある（例えば、非特許文献１参照）。
【０００３】
【非特許文献１】Ｇａｓｔｒｏｉｎｔｅｓｔｉｎａｌ  Ｅｎｄｏｓｃｏｐｙ，５９（２），２８４，２００４，Ｈ．Ｋｏｎｄｏ，Ｔ．Ｇｏｔｏｄａ，Ｈ．Ｏｎｏ，Ｉ．Ｏｄａ，Ｔ．Ｋｏｚｕ，Ｍ．Ｆｕｊｉｓｈｉｒｏ，Ｄ．Ｓａｉｔｏ，Ｓ．Ｙｏｓｈｉｄａ
【発明の開示】
【発明が解決しようとする課題】
【０００４】
上記の内視鏡補助具は、体外から皮膚等を貫通させて直接粘膜を把持、牽引するものである。したがって、体外から内視鏡補助具を入れるために穿孔を設ける必要があり、補助具を導入するために時間がかかる。また、皮膚表面に穿孔ができてしまう。さらに、上記の内視鏡補助具は、粘膜を強く把持すると、粘膜を把持する箇所に粘膜が引っかかり、粘膜を開放することができなくなってしまうことがあった。
【０００５】
そこで、本発明は、上記実状に鑑み、皮膚表面に穿孔や刺創を作らないために内視鏡の脇に粘膜切開剥離術補助具を導入し、切除する粘膜をカウンタートラクションすることができ、粘膜を把持する箇所に粘膜が引っかかることなく、粘膜剥離後に粘膜を円滑に開放することができる粘膜切開剥離術補助具を提供することを目的とする。
【課題を解決するための手段】
【０００６】
本発明の粘膜切開剥離術補助具は、粘膜を切開剥離する際、前記粘膜を持ち上げる粘膜切開剥離術補助具であって、管状部材を環状に形成し、その環内に粘膜を挟み込むことによって当該粘膜を把持する粘膜把持部と、一端に前記粘膜把持部を備え、可撓性を有する管と、前記管の一端から前記管状部材の内側を経由して、再び前記管の一端から前記管の内側に挿通され、長手方向に伸縮する伸縮部材と、前記管の内側に挿通され、一端が前記伸縮部材の一端及び他端と接続し、前記伸縮部材を介して前記粘膜把持具の環径を可変とするように操作する操作線とを備えることを特徴とする。
【０００７】
本発明の粘膜切開剥離術補助具によれば、長手方向に伸縮する伸縮部材と接続された操作線の操作により管状部材と管との間隔を可変とし、粘膜把持部の環内に切開剥離する粘膜を把持することができる。そして、伸縮部材により、操作線を操作する力を直接伝えず、強く粘膜を把持した場合であっても円滑に粘膜を開放することができる。また、可撓性を備えることで体内の形状に対応させることができ、内視鏡とともに体内に導入させることができる。すなわち、カウンタートラクションのために穿孔をあける必要がない。
【発明の効果】
【０００８】
本発明の粘膜切開剥離術補助具によれば、長手方向に伸縮する伸縮部材と接続された操作線の操作により管状部材と管との間隔を可変とし、粘膜把持部の環内に切開剥離する粘膜を把持することができる。そして、伸縮部材により、操作線を操作する力を直接伝えず、強く粘膜を把持した場合であっても円滑に粘膜を開放することができる。また、可撓性を備えることで体内の形状に対応させることができ、内視鏡とともに体内に導入させることができる。すなわち、カウンタートラクションのために穿孔をあける必要がない。これにより、粘膜にカウンタートラクションをかけられ、粘膜下層の視野も充分確保することができる。すなわち、粘膜下層の血管の走行を観察しやすくすることができ、事前に止血できるように補助することができる。
【発明を実施するための最良の形態】
【０００９】
以下、本発明の粘膜切開剥離術補助具について、図面を参照しながら詳細に説明する。なお、本発明においては、以下の記述に限定されるものではなく、本発明の要旨を逸脱しない範囲において適宜変更可能である。
【００１０】
図１は、本発明の粘膜切開剥離術補助具の一例を示す図である。本発明の粘膜切開剥離術補助具は、粘膜を把持する粘膜把持部１０と、一端に粘膜把持部１０を備える管１５と、管１５の内側に挿通される伸縮部材１９と、伸縮部材１９と接続する操作線１１とを有している。
【００１１】
粘膜把持部１０は、管状部材である管状部１００により構成されている。そして、粘膜把持部１０には、図２のように、管状部１００の内側に後述する伸縮部材１９が挿通されている。
【００１２】
管状部１００の一端と、その一端の反対側の他端は、管１５と互いに離間可能に形成されている。詳細には、管１５の一端と管状部１００とを繋ぐように、管１５に挿通された伸縮部材１９が、管１５の一端から管状部１００の内側を経由して、再び管１５の一端から管１５の内側に挿通され、伸縮部材１９の一端と他端が管１５の内側で操作線１１の一端と接続される。これにより、管状部１００の他端と管１５とが伸縮部材１９を介して離間可能に接続される。すなわち、粘膜把持部１０は環状となり、操作線１１の操作により、伸縮部材１９を介して、その環径の大きさを可変とすることができる。
【００１３】
この管状部１００は、可撓性を有する素材で、ゴムや熱可塑性エラストマーといったエラストマーを使用することができる。例えば、ゴムを使用することで、切開剥離する粘膜やその粘膜に備え付けた医療用クリップ等が滑り落ちることを防止し、的確に把持することができる。また、粘膜を直接把持した場合、粘膜に傷をつけることを防止することができる。
【００１４】
管１５は、第１可撓管１２と第２可撓管１３と第３可撓管１４とにより構成され、それぞれ可撓性を有している。管１５が可撓性を有することにより例えば口腔や食道等の器官、臓器等の体内の形状に対応することができ、図示されていない内視鏡とともに体内に導入することができる。また、操作線１１を操作することで、粘膜把持部１０は、管状部１００で粘膜を把持し、粘膜剥離方向に対応させて粘膜把持部１０を回転させることができる。
【００１５】
第１可撓管１２は、可撓性を有する管状のスプリングで、図３のように、このスプリングのピッチＰ１が広がったり狭まったりすることで長手方向に伸縮する。そして、第１可撓管１２は、第２可撓管１３と接続している。この第１可撓管１２は、粘膜把持部１０を管１５に対して任意に撓ませることができる。すなわち、粘膜の剥離方向にあわせて粘膜把持部１０の向きを可変とすることができ、粘膜剥離の際の操作性が向上する。第１可撓管１２の可撓性は、スプリングのピッチＰ１が狭まると撓みにくくなる。すなわち、第１可撓管１２は長手方向に縮むことで撓みにくくなる。
【００１６】
第２可撓管１３は、可撓性を有する管状の部材で、第１可撓管１２及び第３可撓管１４と接続している。そして、この第２可撓管１３の可撓性は、第１可撓管１２の可撓性と異なり、より撓み難いものである。第２可撓管１３は、下記で説明する第３可撓管１５と第１可撓管１２とを中継するものであり、粘膜切開剥離術補助具の導入や粘膜把持部１０の回転といった動作を円滑に行なわせることができる。また、第１可撓管１２の過度な撓みを抑制し、操作性をより向上させることができる。第２可撓管１３の材質としては、第１可撓管１２よりも撓み難い程度の可撓性を有するものであれば特に限定されるものではない。例えば、第１可撓管１２とは異なる可撓性のスプリング等が挙げられる。
【００１７】
第３可撓管１４は、可撓性を有する管状の部材で、第２可撓管１３及び操作部１８と接続されている。そして、この第３可撓管１４の可撓性は、第２可撓管１３の可撓性と異なり、より撓み難いものである。第３可撓管１４は、可撓性を有するものの適度な直線性を有しており、粘膜切開剥離術補助具の器官や臓器への導入を容易とすることができる。また、粘膜把持部１０を回転させるために粘膜切開剥離術補助具を回転する際、この回転を第２可撓管１３及び第１可撓管１２を介して的確に粘膜把持部１０に伝えることができる。この第３可撓管１４の材質としては、第２可撓管１３よりも撓み難い程度の可撓性を有するものであれば特に限定されるものではない。例えば、塩化ビニルやポリエチレン等の樹脂製の管を使用することもできる。
【００１８】
このように管１５は、第１可撓管１２、第２可撓管１３及び第３可撓管１４により構成される。この管１５は、図４のように内側に伸縮部材１９と図５のように内側に操作線１１を挿通しており、管１５の内部で、伸縮部材１９の一端と他端が操作線１１の一端と接続している。そして、この管１５に備えられた粘膜把持部１０の操作を、粘膜把持部１０が接続されている一端とは反対側の一端である管１５の他端から出された操作線１５の他端で行なうことができる。
【００１９】
管１５の粘膜把持部１０を有する一端とは反対側の他端には、その一端が接続された操作管１８が備えられる。この操作管１８は、管１５の第３可撓管１４に接続されている。この操作管１８を本発明の粘膜切開剥離術補助具を導入する体内に対して押し入れる又は引き出すことによって粘膜切開剥離術補助具の体内への導入、引き出しを行ない、粘膜把持部１０の位置を把持する粘膜の位置にあわせることができる。また、この操作管１８を管１５の軸を中心に回転させることで、粘膜切開剥離術補助具全体を管１５の軸を中心に回転させることができる。
【００２０】
伸縮部材１９は、可撓性を有する管１５の内径よりも細いスプリングで、図３のように、このスプリングのピッチＰ２が広がったり狭まったりすることで長手方向に伸縮する。この伸縮部材１９は、第１可撓管１２を形成するスプリングよりも撓みやすく、長手方向に伸縮しやすいものであるものが好ましい。この伸縮部材１９は、その一端が管状部１００の一端から挿入されて他端から出されるように、管状部１００の内側を通過している。そして、この伸縮部材１９の一端及び他端は、第１可撓管１２の一端からそれぞれ挿通されている。すなわち、伸縮部材１９は、その一端が管１５の一端から管状部１００の内側を経由し、再び管１５の一端から管１５の内側に挿通されている。そして、この伸縮部材１９の一端及び他端は、管１５内で操作管１８側から挿通された操作線１１の一端と接続されている。
【００２１】
操作線１１は、可撓性を有し、図６のように、操作管１８及び管１５の内側に挿通され、伸縮部材１９と接続している。この操作線１１の端部を操作することで粘膜把持部１０を構成する粘膜把持部１０の環径を可変とすることができる。操作線１１は、操作管１８、管１５の内側に挿通でき、伸縮部材１９を介して押し入れる又は引っ張る操作を粘膜把持部１０に伝えることができるものであれば特に限定されるものではない。
【００２２】
この操作線１１は、操作管１８の管１５側の一端とは反対側の他端から挿通され、操作管１８に接続されている管１５にそのまま挿通される。そして、管１５の内側に挿通された操作線１１は、伸縮部材１９の一端及び他端と管１５内で接続される。例えば、伸縮部材の一端及び他端のそれぞれの側面と、操作線１１の側面とを重ね合わせて固定することで操作線１１と伸縮部材１９とを接続することができる。そして、操作線１１の伸縮部材１９に接続されていない端部は、操作管１８の管１５に接続された一端とは反対側の他端から出されている。この端部は、操作線１１を管１５に対して押し入れる又は引き出す操作に使用される。
【００２３】
この操作線１１は、図７のように、操作管１８に押し入れる又は引き出す操作をすることで、管状部１００及び伸縮部材１９とにより環状に形成される粘膜把持部１０の環径の大きさが可変となる。
【００２４】
この操作線１１を操作管１８及び管１５に押し入れるように操作すると、伸縮部材１９が粘膜把持部１０の方向に押し出され、離間可能に形成されている管状部１００の一端及び他端と管１５との間隔が大きくなる。そして、管状部１００と管１５との間で伸縮部材１９が撓み、粘膜把持部１０の環径が大きくなる。これにより、把持する粘膜に応じて操作線１１を管１５に押し入れる長さを調節し、管状部１００の一端及び他端と管１５との間隔を調節することができ、把持する粘膜又は切開剥離する粘膜に備えられた医療用クリップ等に応じて粘膜把持部１０の環径の大きさを適宜調整することができる。
【００２５】
逆に、この操作線１１を操作管１８から引き出すように操作すると、伸縮部材１９が操作管１８の方向に引っ張られ、管状部１００の一端及び他端と管１５との間隔が小さくなり、粘膜把持部１０の環径が小さくなる。環径を小さくした粘膜把持部１０の環内に粘膜又は粘膜に備えられた医療用クリップ等を挟み込み、粘膜を把持する。
【００２６】
このとき、操作線１１を管１５から引き出す力に応じて、粘膜把持部１０が粘膜を持ち上げる力を調整することができる。粘膜又は医療用クリップを単に粘膜把持部１０で挟む場合、操作線１１は、管状部１００の一端及び他端と管１５との間隔が小さくなる程度の力で引っ張ればよい。このように、操作線１１を操作管１８から引き出すように操作して、粘膜把持部１０で粘膜や医療用クリップを挟み、粘膜を把持するとき、操作線１１は、伸縮部材１９を引っ張り、図８のように、伸縮部材１９のピッチＰ２を広げる。また、このとき、第１可撓管１２のスプリングのピッチＰ１は、粘膜把持部１０が粘膜を把持する前の状態と変わりない。そのため、粘膜把持部１０が粘膜を把持する前と、略同じ可撓性を有している。
【００２７】
そして、粘膜把持部１０が粘膜を把持した後、粘膜を剥離するために、粘膜把持部１０は、把持した粘膜を強く持ち上げる必要がある。この場合、操作線１１を管１５からさらに引き出す方向に引っ張る。すなわち、粘膜を剥離するために、単に粘膜把持部１０で粘膜を把持した状態よりも強い力で操作線１１を引っ張る。このとき、伸縮部材１９は、スプリングのピッチＰ２がさらに広がり、伸縮部材１９の張力が増加する。このとき、操作線１１をより強い力で管１５から引き出すことで、粘膜把持部１０の管状部１００と粘膜把持部１０が挟んだ粘膜又は医療用クリップが管１５の第１可撓管１２に引きつけられる。そして、図９のように、第１可撓管１２のスプリングのピッチＰ１は狭くなり、第１可撓管１２が粘膜把持部１０で粘膜を把持する前と比較してより撓みにくくなる。すなわち、管１５内を挿通する伸縮部材１９の張力が増し、第１可撓管１２が撓みにくくなることで、第１可撓管１２が全体として堅くなり、粘膜が挙上され、操作管１８の操作による回転などが伝達されやすくなり、操作が容易となる。このように、本発明の粘膜切開剥離術補助具は、操作線１１を管１５から引き出す力に応じて第１可撓管１２の可撓性を制御することができ、操作性がより向上する。
【００２８】
このように、粘膜把持部１０に把持された粘膜又は医療用クリップは、操作線１１を操作管１８から引き出す力を緩めたり、操作線１１を操作管１８に押し入れる操作によって、粘膜把持部１０の環径が大きくなり、開放することができる。
【００２９】
このとき、本発明の粘膜切開剥離術補助具は、伸縮部材１９を管状部１００の内側を通過させるように粘膜把持部１０を形成していることで、操作線１１を操作する力を直接伝えない。
【００３０】
これにより、強く操作線１１を引っ張ることで、粘膜又は切開剥離する粘膜に備えられた医療用クリップ等が粘膜把持部１０と管１５との間で引っかかり粘膜又は医療用クリップの開放ができなくなるという従来の問題が解決される。すなわち、操作線１１を強く引っ張っても、粘膜又は医療用クリップが粘膜把持部１０と管１５との間に引っかからない。また、操作線１１を操作線１８から引き出す力を緩めるだけで、円滑に把持した粘膜を開放することができる。
【００３１】
このように、操作線１１を管１５に押し入れるような操作に応じて、粘膜把持部１０の環径が大きくなり、操作線１１を管１５から引き出すような操作に応じて、粘膜把持部１０の環径を小さくすることができる。これにより、管１５に対して操作線１１を押し入れる又は引き出すような操作に応じて粘膜把持部１０を動かすことができる。粘膜の把持と開放を容易に行なうことができる。そして、剥離する粘膜及びその粘膜に備えた医療用クリップ等を把持し、粘膜にカウンタートラクションをかけることができる。これにより、粘膜下層の視野を十分確保することができる。
【００３２】
図１０及び図１１は、本発明の粘膜切開剥離術補助具を使用して粘膜を剥離する工程を示す断面図である。本発明の粘膜切開剥離術補助具は、内視鏡の脇に一体となるように備え付けられ、体内に導入される。そして、内視鏡で映される画像を見ながら、剥離する粘膜９０の周囲を切り、粘膜９０の一端にクリップ９１を備え、生理食塩水で粘膜９０を浮かせる。次に、図１０のように、クリップ９１を粘膜把持部１０で挟みこみ、粘膜９０にカウンタートラクションをかける。そして、図１１のように、針状メスなどで粘膜９０の下側を切りながら、粘膜９０を剥離する方向に対応させて粘膜把持部１０を動かし、粘膜９０を引っ張るように剥離する。
【００３３】
このように、内視鏡とともに本発明の粘膜切開剥離術補助具を導入することができる。そのため、カウンタートラクションのために穿孔をあける必要がない。また、粘膜下層の視野も十分確保することができる。すなわち、粘膜下層の血管の走行を観察しやすくすることができ、事前に止血できるように補助することができる。
【００３４】
本発明の粘膜切開剥離術補助具は、上述のものに限られるものではない。例えば、管１５を構成する第１可撓管１１、第２可撓管１２及び第３可撓管１３は、操作性の向上のために別の部材としたが、操作性に問題がないようであれば同一の部材で構成されたものであっても良い。
【００３５】
さらに、第１可撓管１２を第２可撓管１３及び第３可撓管１４の内側に挿通させ、操作管１８と一体となるように接続しても良い。これにより、内視鏡の脇に本発明の粘膜切開剥離術補助具を一体となるように固定しても粘膜把持部１０を容易に動かし、剥離する粘膜との位置を調整することができる。
【００３６】
また、本発明の粘膜切開剥離術補助具は、図１２のように、第２可撓管１３の第１可撓管１２と接続されている側の一端に、第２操作線４１を固定するように備えてもよい。この場合、この第２操作線４１の他端は、第２可撓管１３及び第３可撓管１４の外側に備え付けられ、本発明の粘膜切開剥離術補助具を内視鏡とともに体内に挿入した際に一端が体外に出る程度の長さを有する第２操作線導管４０に挿通されている。この第２操作線導管４０は、可撓性を有する。この第２操作線４１は、第２操作線導管４０から引き出すように操作することで、第２可撓管１３を撓ませることができる。これにより、粘膜把持部１０の位置を調節することが容易となる。例えば、内視鏡の脇に本発明の粘膜切開剥離術補助具を一体となるように備え付けても、第２操作線４１を押し入れる又は引き出す操作に応じて粘膜把持部１０の角度を切開剥離する粘膜の位置に合わせることが可能となる。よって操作性が向上する。
【図面の簡単な説明】
【００３７】
【図１】本発明の粘膜切開剥離術補助具の一例を示す図である。
【図２】図１におけるＡ−Ａ’断面図である。
【図３】図１で示した粘膜切開剥離術補助具の第１可撓管と伸縮部材を示す模式図である。
【図４】図１におけるＢ−Ｂ’断面図である。
【図５】図１におけるＣ−Ｃ’断面図である。
【図６】図１におけるＤ−Ｄ’断面図である。
【図７】図１で示した粘膜切開剥離術補助具の操作線を押し入れた状態を示す図である。
【図８】粘膜把持部の環径を小さくした際の図３で示した第１可撓管と伸縮部材との関係を示す模式図である。
【図９】粘膜を強く把持する際の図３で示した第１可撓管と伸縮部材との関係を示す模式図である。
【図１０】本発明の粘膜切開剥離術補助具を使用して粘膜を把持した状態を示す図である。
【図１１】本発明の粘膜切開剥離術補助具を使用して粘膜を剥離方向に引っ張った状態を示す図である。
【図１２】第２操作線を備えた本発明の粘膜切開剥離術補助具の一例を示す図である。
【符号の説明】
【００３８】
１０  粘膜把持部
１００  管状部
１１  操作線
１２  第１可撓管
１３  第２可撓管
１４  第３可撓管
１５  管
１８  操作管
１９  伸縮部材
【図１】
2007307000.tif 000003
【図２】
2007307000.tif 000004
【図３】
2007307000.tif 000005
【図４】
2007307000.tif 000006
【図５】
2007307000.tif 000007
【図６】
2007307000.tif 000008
【図７】
2007307000.tif 000009
【図８】
2007307000.tif 000010
【図９】
2007307000.tif 000011
【図１０】
2007307000.tif 000012
【図１１】
2007307000.tif 000013
【図１２】
2007307000.tif 000014